(57)【要約】【課題】  本発明によれば、復水器の横方向の変形の吸収率を向上させる復水器が提供される。  【解決手段】タービンケーシングと、復水器上部本体と、前記タービンケーシングと前記復水器上部本体との間に介在されこれらを接続する接続部材と、前記復水器上部本体に隣接され、前記接続部材とは反対側に設けられる復水器下部本体と、前記復水器上部本体を囲むように設けられた補強部材とを有することを特徴とする。【選択図】図１
2010151347.tif 000002
【特許請求の範囲】
【請求項１】
タービンケーシングと、
復水器上部本体と、
前記タービンケーシングと前記復水器上部本体との間に介在されこれらを接続する接続部材と、
前記復水器上部本体に隣接され、前記接続部材とは反対側に設けられる復水器下部本体と、
前記復水器上部本体を囲むように設けられた補強部材と、
を有することを特徴とした復水器。
【請求項２】
前記補強部材の形状は前記復水器上部本体と接する矩形状であることを特徴とする請求項１記載の復水器。
【請求項３】
前記補強部材は、前記復水器上部本体において前記タービンケーシング側に２分の１の範囲内に設けられることを特徴とする請求項１記載の復水器。
【請求項４】
前記補強部材はリブ板であることを特徴とする請求項１記載の復水器。
【請求項５】
前記補強部材は断面形状が半円形状、L字形状、コの字形状の少なくともいずれかを含む
ことを特徴とする請求項１記載の復水器。
【発明の詳細な説明】
【技術分野】
【０００１】
本発明は、補強部材を有する復水器に関する。
【背景技術】
【０００２】
図８はタービンケーシング及び復水器の斜視図である。復水器は復水器上部本体５と復水器下部本体７からなる。さらに復水器上部本体５の上にはタービンケーシング１がエキスパンションジョイント３を介して接続されている。原子炉やボイラから発生した高温高圧の蒸気がタービンケーシング１内に導入されて膨張し、タービンケーシング１内の蒸気タービンを回転させる。この際、蒸気タービンを回転させた蒸気は復水器に流入する。
【０００３】
従来の復水器の構成では、エキスパンションジョイント３は蒸気タービンケーシング及び復水器の上下の相対変異を吸収するように設計されているが、横方向の変異の吸収までは考慮されていない。
【特許文献１】特開２００８-３２０２４号公報
【発明の開示】
【発明が解決しようとする課題】
【０００４】
復水器上部本体５の剛性が十分でない場合、想定外の変形、特に横方向の変形がエキスパンションジョイント３に加わる。このためエキスパンションジョイント３の寿命に多大な影響を及ぼす。本発明の目的は、復水器上部本体５の変形に伴うエキスパンションジョイント３の横方向の変異の負担を減らすため、横方向の変異の吸収を考慮した復水器を提供することにある。
【課題を解決するための手段】
【０００５】
上記目的を達成するために、本発明においては、タービンケーシングと、復水器上部本体と、前記タービンケーシングと前記復水器上部本体との間に介在されこれらを接続する接続部材と、前記復水器上部本体に隣接され、前記接続部材とは反対側に設けられる復水器下部本体と、前記復水器上部本体を囲むように設けられた補強部材とを有することを特徴とした復水器を提供する。
【発明の効果】
【０００６】
本発明によれば、復水器の横方向の変形の抑制率を向上させることができる。  
【発明を実施するための最良の形態】
【０００７】
以下、第１の実施の形態について図1を用いて説明する。図１は本発明による復水器の
斜視図である。復水器は復水器上部本体５と、復水器下部本体７とからなる。さらに復水器上部本体５とタービンケーシング１とは接続部材、すなわちエキスパンションジョイント３を介して接続されている。また、補強部材１１が復水器上部本体の各面に設けられている。
【０００８】
次に、エキスパンションジョイント５５の断面図を図２に示す。図の左側がタービンケーシング及び復水器の内側である。エキスパンションジョイント５５は金属製ベローズなどの弾性体で構成されており、接合部分の相対変位や荷重の伝わりを防ぐ役割を担っている。
【０００９】
エキスパンションジョイント５５はベローズ６１、上部支持部材６２、下部支持部材６３とから構成される。ベローズ６１の上端は上部支持部材６２に溶接され、上部支持部材６２はタービンケーシング１に接続されている。一方、ベローズ６１の下端は下部支持部材６３に溶接され、下部支持部材６３は復水器上部本体５に接続されている。
【００１０】
エキスパンションジョイント５５の設計にあたっては、タービンケーシング１と復水器上部本体５の相対変位を吸収するように設計される。しかしながら、復水器上部本体５の内部は運転中 5kPa(abs) 前後の圧力であるため、復水器外面にはほぼ大気圧に相当する
圧力が作用する。復水器上部本体５は平板より構成されているので、外圧（大気圧）に抗するため、その内面には複数の縦リブ（図示なし）を設置して外圧による変形を防止しているが、縦リブであるため、下部支持部材６３と復水器上部本体５の接続部６５の横方向の変形を防ぐことはできず、上記接続部６５は復水器内側へと倒れ込むことになる。この倒れ込みによる接続部６５の変形をエキスパンションジョイント５５に伝播させないよう、エキスパンションジョイント５５による緩衝目的の範囲外である横方向の変形防ぐため、補強部材１１が設けられている。
【００１１】
補強部材１１は復水器上部の全周を囲むような一体形状の矩形状であることが好ましい。
復水器上部本体の全体の膨張を抑制することが目的であるため、一体型の形状のほうが効率よく膨張を抑えられるからである。しかし、一体型以外でも効果を有すればこれに限るものではない。
【００１２】
図３はエキスパンションジョイント３と復水器上部本体５との側面図である。また、図３におけるA-Aの断面図の一部を図４に示す。図４は復水器上部本体５と、補強部材１１と
の構成を示す断面図である。補強部材１１の形状としては、図１、図３、図４に記載の板状のリブ部材が挙げられる。
【００１３】
さらに、他の応用例の断面図を図５〜図７を用いて説明をする。図５の補強部材２１は図４では板状とした部材をパイプの半円形状にしたものである。図６の補強部材３１はＬ字形状としたものである。図７の補強部材４１はコの字形状としたものである。これらの補強部材は板状のリブ部材よりも復水器上部本体５との接点が多いため復水器上部本体５の変形に対して安定した強度を保つことができる。
【００１４】
これらの図において補強部材の形状は一例として中空のものを上げているが、中実のものを用いても良い。中実の場合は、中空の場合と比較して補強部材の剛性が高くなる。また、これらの補強部材を組み合わせて使用してもよい。
【００１５】
補強部材１１、２１、３１、４１は主に鋼材を使用する。但し、復水器上部本体の変形を防ぐことができれば鋼材に限らない。
【００１６】
また、補強部材１１、２１、３１、４１は既製品の鋼材を用いる、または置き換えることができる。例えば、Ｉ形鋼、Ｈ形鋼、溝型鋼、山形鋼等が挙げられる。
【００１７】
さらに、補強部材１１、２１、３１、４１は復水器上部本体のうち、変形の影響を減少させたい上方、すなわち上から２分の１の範囲に設けることが望ましい。
【００１８】
以上、本実施の形態について例示をした。しかし、本発明はこれらの記述に限定されるものではない。  
前述の実施の形態に関して、当業者が適宜設計変更を加えたものも、本発明の特徴を備えている限り、本発明の範囲に包含される。  
【図面の簡単な説明】
【００１９】
【図１】本実施形態に係る復水器の斜視図である。
【図２】本実施形態に係るエキスパンションジョイントの断面図である。
【図３】本実施形態に係る復水器上部本体と補強部材の側面図である。
【図４】本実施形態に係る復水器上部本体と補強部材の断面図である。
【図５】本実施形態に係る復水器上部本体と補強部材の断面図である。
【図６】本実施形態に係る復水器上部本体と補強部材の断面図である。
【図７】本実施形態に係る復水器上部本体と補強部材の断面図である。
【図８】従来の復水器の斜視図である。
【符号の説明】
【００２０】
１  タービンケーシング、３  接続部材、５  復水器上部本体、７  復水器下部本体、
１１、２１，３１，４１  補強部材
【図１】
2010151347.tif 000003
【図２】
2010151347.tif 000004
【図３】
2010151347.tif 000005
【図４】
2010151347.tif 000006
【図５】
2010151347.tif 000007
【図６】
2010151347.tif 000008
【図７】
2010151347.tif 000009
【図８】
2010151347.tif 000010